(57)【特許請求の範囲】
【請求項１】
電話システムにおける音声トラフィックの品質を向上させる方法であって：
前記電話システムにおける前記音声トラフィックのルートを定めるのに用いられる伝送ルートの識別を決定するステップ；
前記伝送ルートが、非優先伝送ルート用に供給された反響消去装置のメインプールとは別の反響消去装置の専用プールから反響消去装置を使用することを許可されている高優先伝送ルートであることを決定するステップ；
前記反響消去装置の専用プールから一つの反響消去装置を選択するステップ；
複数の反響消去パラメーターから前記伝送ルートと関係する一つの反響消去パラメーターを選択するステップ；
前記反響消去パラメーターを前記反響消去装置に送信し、その反響消去装置は、それによって前記反響消去パラメーターに反応して作動するステップ；及び
前記反響消去装置を前記伝送ルートに結合するステップからなる方法。
【請求項２】
前記反響消去パラメーターが終端路遅延を含む請求項１に記載の方法。
【請求項３】
前記反響消去パラメーターが、適応性有限インパルス応答フィルタの「長さ」を含む請求項１に記載の方法。
【請求項４】
前記反響消去パラメーターが、ＰＣＭエンコーダ則タイプを含む請求項１に記載の方法。
【請求項５】
前記反響消去パラメーターが、ＰＣＭエンコーダＡ則を含む請求項４に記載の方法。
【請求項６】
前記反響消去パラメーターが、ＰＣＭエンコーダＭｕ則を含む請求項４に記載の方法。
【請求項７】
前記反響消去パラメーターが、聞き取りの快適さがない「オフ」の非線形プロセッサモードを含む請求項１に記載の方法。
【請求項８】
前記反響消去パラメーターが、聞き取りの快適さがない「オン」の非線形プロセッサモードを含む請求項１に記載の方法。
【請求項９】
前記反響消去パラメーターが、聞き取りの快適さがある「オフ」の非線形プロセッサモードを含む請求項１に記載の方法。
【請求項１０】
前記反響消去パラメーターが、「オフ」のトーン使用禁止装置モードを含む請求項１に記載の方法。
【請求項１１】
前記反響消去パラメーターが、「オン」の反響抑制装置モードを含む請求項１に記載の方法。
【請求項１２】
前記反響消去パラメーターが、「オン」の反響消去装置モードを含む請求項１に記載の方法。
【請求項１３】
前記伝送ルートが、トランクラインを含む請求項１に記載の方法。
【請求項１４】
前記電話システムが、セルラー通信システムを含む請求項１に記載の方法。
【請求項１５】
前記電話システムが、衛星通信システムを含む請求項１に記載の方法。
【請求項１６】
前記電話システムが、公衆電話交換網を含む請求項１に記載の方法。
【請求項１７】
電話システムにおいて音声トラフィックの品質を向上するのに用いられる装置であって：
前記電話システムにおける伝送ルートを介して前記音声トラフィックの伝送ルートを定める電子スイッチ；
前記伝送ルートが、非優先伝送ルート用に供給された反響消去装置のメインプールとは別の反響消去装置の専用プールから反響消去装置を使用することを許可されている高優先伝送ルートであることを決定する手段；
前記電子スイッチに結合され、前記反響消去装置の専用プールから一つの反響消去装置を選択する手段；
複数の反響消去パラメーターから前記伝送ルートと関連する一つの反響消去パラメーターを選択する手段；
前記反響消去パラメーターを前記反響消去装置に送信する手段；及び
前記電子スイッチと関連し、前記反響消去装置を前記伝送ルートに結合する手段からなる装置。
【請求項１８】
前記反響消去パラメーターが、終端路遅延を含む請求項１７に記載の装置。
【請求項１９】
前記反響消去パラメーターが、適応性有限インパルス応答フィルタの「長さ」を含む請求項１７に記載の装置。
【請求項２０】
前記伝送ルートが、トランクラインを含む請求項１７に記載の装置。
【請求項２１】
前記電話システムが、セルラー通信システムを含む請求項１７に記載の装置。
【請求項２２】
前記電話システムが、衛星通信システムを含む請求項１７に記載の装置。
【請求項２３】
前記電話システムが、公衆電話交換網を含む請求項１７に記載の装置。
【発明の詳細な説明】
発明の背景
発明の技術分野
本発明は、一般には、遠距離通信分野に関し、特には、電話システムにおける反響消去装置及び反響消去パラメーターの動的な選択に関する。
関連技術の記載
電話システムを市場に出す上で、音声品質が高い競争要因となっている。反響（エコー：ｅｃｈｏ）は、典型的には、ネットワーク伝送セクションの不完全なインピーダンスのマッチングによって引き起こされる現象であるが、電話システムの全体的な音声品質に重大な影響を及ぼす。とりわけ、多くの電話システムにおける反響の主要な原因は、接続された２線式及び４線式ネットワーク伝送セクション間でのインピーダンスのミスマッチである。
例えば、図１は、公衆電話交換網（Ｐｕｂｌｉｃ  Ｓｗｉｔｃｈｅｄ  Ｔｅｌｅｐｈｏｎｅ  Ｎｅｔｗｏｒｋ）（ＰＳＴＮ）において、どのように反響が発生しうるのかを例示する概略ブロック図である。典型的な配置において示されるとおり、ＰＳＴＮ加入者の電話機１が、２線式伝送ラインによってハイブリッド（混成）インターフェイス回路１’に接続される。ハイブリッド回路（１’）は、その電話機の２線式アクセスラインからＰＳＴＮの４線式伝送ライン（双方向通信のために必要とされる）に変換するよう機能する。同様に、第２のＰＳＴＮ加入者の電話機２は、２線式伝送ラインによって第２のハイブリッド回路２’に接続されるが、それはまた２線式から４線式への変換を行うものである。それぞれのハイブリッドは理想的な回路ではないので、２線式ライン及び４線式ラインの間の各ハイブリッド（１’、２’）でインピーダンスのミスマッチが生じ、それは４線式ラインから入ってくる音声エネルギーの一部を反射して、それぞれの加入者の電話機（１，２）の各々へと戻す。この反射された音声エネルギーまたは反響は、典型的には、他方の加入者側で反射された、ひずんで遅延した発信通話の複製である。図１において、加入者１及び２についてそれぞれのエネルギー反射（反響）が、点線の矢印１”及び２”によって例示されている。
一般には、反射したエネルギー伝送遅延時間が比較的短い（例えば≦２５ｍｓ）限り、反射した通話エネルギーは、通常、迷惑なものとして認識されない。しかしながら、その遅延が２５ｍｓを超えて増大すると、反射したエネルギーは、通常、迷惑な「送話者反響（ｔａｌｋｅｒ  ｅｃｈｏ）」として認識される。遅延時間が高ければ高いほど、反響はより迷惑かつ／または紛らわしいものとなる。例えば、図２は、伝送遅延時間の機能として要求される必要反響減衰量を例示するグラフである。示されているとおり、反響波の帰還波損失（ｅｃｈｏ  ｒｅｔｕｒｎ  ｌｏｓｓ）（ＥＲＬ）の合計が、遅延時間の関数として描かれて、反響許容度曲線を作り出している。遅延が２５ｍｓを超えて増大すると、反響制御処置が必要となる。
要約すると、反響は、ネットワーク伝送路遅延時間が増大するにつれ、より迷惑なものとなる。そのような伝送路遅延は、音声信号を長距離にわたって伝搬させることによって、または、伝送される音声信号を符号化する過程によって、というように数多くの様式で導入されうる。例えば、大陸内でのおよび大陸間での呼のための衛星通信伝送の間に重大な伝搬遅延が生じる。静止衛星は（地球からの相当な距離のために）、典型的には、約２６０ｍｓの一方向の伝送路遅延すなわち約５２０ｍｓの合計（往復）反響路遅延を導入する。図３は、衛星通信リンクを示し、また、そのようなシステムがどのようにして重大な伝送（反響）路遅延を導入するのかを例示する図である。
デジタルセルラー通信システムもまた、重大な反響路遅延を導入する。例えば、デジタルセルラー通信システム無線伝送において、フォールト・トレランス（ｆａｕｌｔ  ｔｏｌｅｒａｎｃｅ）のために用いられる音声及びチャンネルの符号化は、音声サンプルのブロックがエアインターフェイスを介して伝送及び再伝送されるとき、約１００ｍｓの一方向伝送路遅延を導入する。図４は、デジタルセルラー通信システムを示し、またそのような反響路遅延を例示する図である。
反響消去装置は、電話システムにおいて、反響の効果を抑制するのに用いられる電子装置である。例えば、加入者間に長い伝送遅延（例えば、図１）がある接続には、典型的には、２つの反響消去装置が用いられる（遅延を引き起こす伝送路のそれぞれの側に一つ）。ＰＳＴＮにリンクする長距離衛星通信システム（例えば、図３）には、典型的には、反響消去装置は、各市内交換（ｌｏｃａｌ  ｅｘｃｈａｎｇｅ）と結び付くゲートウェイスイッチまたは通過ノードの各々に（例えば、国際交換局（ｉｎｔｅｒｎａｔｉｏｎａｌ  ｓｗｉｔｃｈｉｎｇ  ｃｅｎｔｅｒｓ）またはＩＳＣに）設置されるが、それぞれのＰＳＴＮと「対面している」。ＰＳＴＮにリンクするデジタルセルラー通信システム（例えば、図４）においては、反響消去装置は、典型的には、移動サービス交換局（ｍｏｂｉｌｅ  ｓｅｒｖｉｃｅｓ  ｓｗｉｔｃｈｉｎｇ  ｃｅｎｔｅｒ）（ＭＳＣ）に設置され、やはりＰＳＴＮに「対面している」。
図５は、現存する電話システムで用いることのできる２つの反響消去装置の構成：（１）トランク反響消去装置、及び（２）プールの反響消去装置（ｅｃｈｏ  ｃａｎｃｅｌｌｅｒｓ  ｉｎ  ａ  ｐｏｏｌ）（ＥＣＰ）の構成を例示する簡素化された概略ブロック図である。図５によって例示される例において、３本のトランクライン（２，４，８）が示されており、その各々は、ＰＳＴＮ（１１）伝送ラインを、グループスイッチ（例えば、ＭＳＣの一部）１０を介してデジタルセルラーシステム１２に接続し、それらの間で音声通信が行えるものとなっている。グループスイッチ１０は、例えば、エリクソンテレコムＡＢによって製造されるＡＸＥ１０デジタル交換システムのような、デジタル交換システムの構成要素であり得る。反響消去装置１４は、物理的に、トランクライン２に接続される。トランク反響消去装置１４のための電気パラメーター設定は、反響消去装置制御回路１６によって制御される。交換端子回路１８は、トランク反響消去装置１４とグループスイッチ１０との間に接続される。
反響消去装置のプール３０は、グループスイッチ１０と結合される。複数の反響消去装置が、プール（３０）で維持され、デジタル交換システムのトランク信号サブシステム（ｔｒｕｎｋ  ｓｉｇｎａｌｌｉｎｇ  ｓｕｂｓｙｓｔｅｍ）（ＴＳＳ）の一部を形成する。従来の反響消去装置のプール３０は、例えば、ＥＣＰ１０１製品でありえ、それは、エリクソンテレコムＡＢによって製造される。示されるとおり、トランク反響消去装置はトランク８に物理的に設置されるものではない。そのかわりに、ＰＳＴＮ（１１）とデジタルセルラーシステム（１２）との間で呼が開始されるとき、デジタル交換システムのトラフィック制御サブシステム（ｔｒａｆｆｉｃ  ｃｏｎｔｒｏｌ  ｓｕｂｓｙｓｔｅｍ）（ＴＣＳ）が、プール（３０）の反響消去装置の一つを選択し、その呼が持続する間、その選択された反響消去装置を通って接続するルートを定めるようにスイッチ１０に命令する。このようにして、従来のトランク反響消去装置の構成に比べて、より効果的な反響消去装置の使用が可能となり、それによって、必要とされる反射消去装置の合計数が低減される。また、従来のシステムよりも信頼性が増しており、というのも、プールにはいつも利用できる反射消去装置がいくつかあるからであり、それらは、一つ以上の他の反響消去装置で障害が生じた場合に用いることができる。
反響消去装置のプール構成を用いることで、現存する電話システムの柔軟性及び信頼性が増大されているが、反響消去に関して重大な問題がなおも存在する。とりわけ、それぞれの現存するプールの反響消去装置のすべては、同じ消去パラメーターで設計されており、それによって、現存する電話システムの柔軟性は著しく制限されている。
発明の概要
従って、本発明の目的は、プールの特定の反響消去装置に、個別化された反響消去パラメーター設定を提供することである。
また、本発明の目的は、電話システムにおいて、ある優先順位の高い伝送路に、専用の反射消去装置のプールを提供することである。
本発明の別の目的は、電話システムにおける特定のトランクルートのために、反響消去装置をあつらえることである。
本発明のさらに別の目的は、反響消去装置の輻輳のないプールを作り出すことである。
本発明のさらなる目的は、反響を最小限化し、それによって、電話システムの音声品質を向上させることである。
本発明により、前述の及びその他の目的が、ある方法及び装置によって達成されるが、それらにおいては、続いて起こる呼に用いられる特定の伝送ルートの反響路特性について事前に分かっていることに基づいて、ユーザーが、プールのどの反響消去装置のためにでも、反響消去パラメーターの設定を前もって決定し、かつ個別化するのを可能とする反響消去装置のプール構成が提供される。そして、個別化されたパラメーターの設定された反響消去装置は、呼の持続期間中にそのルートに切り替えられる。例えば、呼設定で、その呼を完了するのに用いられるトランクルートが一旦識別されると、トラフィック制御システムは、その特定のルートと結びつくメモリーアドレスから「フラグ」を検索する。その「フラグ」は、そのルートのために用いられる特定の反響消去装置パラメーター設定を識別する。これらのパラメーター設定は、プールから選択された反響消去装置にダウンロードされ、そして続いて、そのデバイスは関係する特定のトランクに挿入される。
【図面の簡単な説明】
本発明の方法及び装置をより完全に理解するのに、以下の詳細な説明が参照されるであろうが、そのとき付随する図面が関連付けられており、それらにおいては：
図１は、公衆電話交換網において、どのように反響が起こりうるのかを例示する概略ブロック図である；
図２は、伝送遅延時間の機能として要求される必要反響減衰を例示するグラフである；
図３は、衛星通信リンクを示し、そのようなシステムがいかにして著しい伝送（反響）路遅延を導き入れるのかを例示する図である；
図４は、デジタルセルラー通信システムを示し、反響路遅延を例示する図である；
図５は、現存する電話システムで用いることのできる、２つの反響消去装置の構成を例示する簡素化された概略ブロック図である；
図６は、本発明の好ましい実施例による、反響消去装置及び反響消去パラメーター設定を動的に選択するのに用いてもよい、例示的なセルラー通信システムの概略ブロック図である；
図７は、本発明の好ましい実施例による、特定のルートのための反響消去装置及び個別化された反響消去パラメーターの動的な選択を実行するのに用いることができる方法を例示するフローチャートである；および
図８は、本発明の好ましい実施例による、例示的な反響消去装置パラメーター及びトランクルートのために設定することができる値を示す表である。
図面の詳細な説明
本発明の好ましい実施例及びその利点は、図面の図１−８を参照することによって最も良く理解され、その種々の図面の同様の及び対応する部分には同様の番号が用いられている。
本質的には、やがて起こる呼に用いられる特定の伝送ルートの反響路特性について事前に分かっていることに基づいて、ユーザーが、プールのどの反響消去装置のためにでも、反響消去パラメーター設定を前もって決定し、かつ個別化することが可能となる反響消去装置プールの構成が提供される。そして、個別化されたパラメーターが設定された反響消去装置が、その呼の存続期間中にそのルートへと切り替えられる。例えば、呼設定にて、その呼を完了するのに用いられるトランクルートが一旦識別されると、トラフィック制御システムが、その特定のルートと結びつくメモリアドレスから「フラグ」を検索する。その「フラグ」には、そのルートのための特定の反響消去装置パラメーター設定が含まれる。これらのパラメーター設定は、そのプールから選択される反響消去装置にダウンロードされ、そして続いて、その装置が、関係する特定のトランクに挿入される。
とりわけ、図６は、本発明の好ましい実施例による、反響消去装置及び反響消去パラメーター設定を動的に選択するのに用いてもよい代表的なセルラー通信システムの概略ブロック図である。システム１００は、複数の移動端子、一つ以上の基地局トランシーバー及びその基地局トランシーバーと関連する一つ以上のＭＳＣまたはゲートウェイＭＳＣを含みうる。各ゲートウェイＭＳＣは、関連する反響消去装置のプールを有しうる。しかしながら、本発明を適切に記述するために、ユーザー間のルートを定める接続が一つだけ示される必要があるので、図６に示されるシステムには、移動端子（例えば、セルラーフォン）１０２、エアインターフェイスを介して移動端子１０２と通信するための基地局トランシーバー１０４、基地局トランシーバー１０４に接続されるゲートウェイＭＳＣ１０６、及びゲートウェイＭＳＣ１０６に接続される反響消去装置のプール１１０が含まれる。
この実施例において、トラフィック制御サブシステム１０８は、ゲートウェイＭＳＣ１０６及び反響消去装置のプール１１０と結びつけられる。トラフィック制御サブシステムは、完全にソフトウェアで実行でき、関係するスイッチのトラフィック取り扱い及びトラフィック制御機能を含む。トラフィック制御サブシステムのソフトウェア機能は、ゲートウェイＭＳＣと結びつくデジタルプロセッサ（明白には示されていない）の制御のもとで実行することができる。ゲートウェイＭＳＣ（１０６）は、伝送ラインを介して交換端子回路１１１に、そして遠隔スイッチ１１２（例えば、ＰＳＴＮ交換局におけるスイッチ）へのトランクラインに接続される。
示されるとおり、ゲートウェイＭＳＣ（１０６）は、基地局トランシーバー（１０４）及びプール１１０の反響消去装置を、複数のトランクラインのいずれのものにも接続することができる。また、遠隔スイッチ１１２はＰＳＴＮスイッチとして示されているが、本発明は、そのように制限されることを意図するものではない。例えば、ゲートウェイＭＳＣ（１０６）は、伝送ラインを介して、別のＭＳＣまたはシステム１００におけるスイッチもしくは異なるセルラーシステムにおけるスイッチへと接続することができる。
動作について、図６に示される代表的な実施例によると、セルラー加入者（Ａ）によって移動電話１０２で通話が行われると、それは、ＰＳＴＮ加入者（Ｂ）の固定電話機（明示されていない）に送られる。通話設定において、電話をかけた側（Ａ）及び電話を受けた側（Ｂ）の識別情報が、標準エアインターフェース呼制御メッセージプロトコールを用いる呼制御メッセージの一部として、基地局トランシーバー１０４によって受信される。この情報は、ゲートウェイＭＳＣ１０６に結合され、トラフィック制御サブシステム１０８によって分析される。一旦電話を受ける側（Ｂ）が識別されると、トラフィック制御サブシステム（１０８）は、ルート分析を行い、その電話を受ける側を、トランクラインを介してその人の場所への特定のルート（例えば、スイッチからスイッチへの）と結びつける。
この実施例において、トラフィック制御サブシステム（１０８）が、加入者Ｂへと続く特定のトランクルートは、交換端子回路１１１から遠隔スイッチ１１２へのトランクラインを介することを決定する。一旦その特定のトラックルートが識別されると、トラフィック制御サブシステム（１０８）はデータベース（明示されていない）にアクセスし、そのルートについての関係する伝送特性（例えば、システムオペレーターによって前もって定義されたもの）を検索する。そのルート情報には、最低でも、そのルートについての周知の反響路特性を含む「フラグ」またはデータフィールドが含まれる。それによって、トラフィック制御システムは、呼を完了させるのに用いられるトランクルートの正確な反響路特性を、前もって決定しておくことができる。
関係するトランクルートの反響路遅延特性に基づいて、トランク信号サブシステム１１３は、反響消去装置プール（１１０）から、そのトランクに挿入されるべき反響消去装置（明示されていない）を、その反響路遅延を取り扱うために、選択することができる。注意すべきは、本発明によって、トランク信号サブシステムはまた、その特定のルートのために選択される反響消去装置に用いられる反響消去パラメータをも選択する。使用されるパラメーターは、プールの反響消去装置のすべてに提供される、典型的なデフォルト値（ｄｅｆａｕｌｔ  ｖａｌｕｅｓ）であり得、またさらに重要なことには、それらは、関係する特定のトランクルートのためにより正確に設計される個別化されたパラメーターであり得る。この実施例のために、反響消去装置プール（１１０）は、エリクソンテレコムＡＢによって製造されるＥＣＰ３０３／４０４製品であり得る。使用される反響消去装置は、「反響消去装置（Ｅｃｈｏ  Ｃａｎｃｅｌｌｅｒｓ）」という表題の１９９３年３月のＩＴＵ−Ｔ勧告（Ｒｅｃｏｍｍｅｎｄａｔｉｏｎ）Ｇ．１６５において、国際電気通信連合（Ｉｎｔｅｒｎａｔｉｏｎａｌ  Ｔｅｌｅｃｏｍｍｕｎｉｃａｔｉｏｎｓ  Ｕｎｉｏｎ）（ＩＴＵ）によって指定されるとおりのタイプＣ反響消去装置（Ｅｃｈｏ  Ｃａｎｃｅｌｌｅｒ）であり得る。関係する特定のルートのために個別化された反響消去パラメーター設定を用い、それによって、トラフィック制御サブシステム（１０８）及びトランク信号サブシステム（１１３）は、セルラー加入者後ＰＳＴＮ加入者Ｂとの間で従来システムに比べて著しく向上した音声品質の接続を履行するよう機能する。
図７は、本発明の好ましい実施例による、特定のルートのための反響消去装置及び個別化された反響消去パラメーターの動的な選択を実行するのに用いることができる方法を例示するフローチャートである。好ましくは、プールの反響消去装置のあらかじめ決められた割合（パーセンテージ）が、専用プールに属するものとして（例えば、システムオペレーターによって）定義される。残りの反響消去装置は、専用プールには割り当てられておらず、メインプールに属するものとして定義される。反響消去装置の専用プールを用いることで、オペレーターが、優先順位の高いトランクルートのみが専用プールからの反響消去装置を使用できるようにすることが可能となる。その結果、メインプールのすべての反響消去装置が用いられていても、優先順位の高いルートで用いられる専用プールから利用できる反響消去装置がなおもある。
この実施例について、ゲートウェイＭＳＣ１０６から遠隔スイッチ１１２への特定の発信、長距離トランク（Ｔ−ＲＯＵＴＥ，ｎ）が、反響消去装置がプール（１１０）から選択されて用いられるために、個々に定義されるパラメータ設定を要求するとして「フラグたて」されているものと仮定する。特定のトランクルートのために選択されてもよい数多くの反響消去パラメーターがあるけれども（例えば、終端路遅延、非線形プロセッサモード、トーン使用禁止モード、パルス符号変調エンコーダ則など）、ここに記述される方法は、図６に示される特定の発信トランクルートのための、個別化された終端路遅延設定の使用を例示するのみである。しかしながら、図７の方法がまた、図６のいかなるトランクルートにも、かつ可能な反響消去装置パラメーターのいずれのもしくはすべてのものにも適用することができるということを理解しなければならない。反響消去装置パラメーター及びいかなるトランクルートのためにも設定できる値の例が、図８の表に示される。以上の通りであるので、オペレーターは、各発信ルートのために、反響消去装置パラメーター設定のいずれをもまたはすべてのものを指定することができ、そしてそれによって、電話システムの音声品質を全体として著しく向上させることができる。
この実例となる実施例について、オペレーターが、図６に示される特定のＴ−ＲＯＵＴＥのために特定の反響消去パラメーター「終端路遅延」を１２８ｍｓに設定するよう望むものと仮定する。しかしながら、「終端路遅延」パラメーターを１２８ｍｓに設定することは、実際は、プール（１１０）から選択される反響消去装置において、適応性有限インパルス応答（Ｆｉｎｉｔｅ−Ｉｍｐｕｌｓｅ−Ｒｅｓｐｏｎｓｅ）（ＦＩＲ）フィルタの「長さ」を１２８ｍｓに設定するように機能する。
図７に戻ると、ステップ２０２において、システムオペレーターは、適切なコマンドを入力して、システムにおける（ゲートウェイスイッチから次のそれぞれのスイッチへの）いずれかのまたはすべてのトランクルートのために必要とされる特定の反響消去特性を指定して、メモり蓄積位置（例えば、関係データベース）に蓄積する。好ましい実施例において、そのようなコマンドは、例えば、一組のマン・マシン言語（ＭＭＬ）コマンドを用いることによって作ることができる。ステップ２０４において、オペレーターは、システムのトランク信号サブシステム（例えば、ＴＳＳ１１３）のためのデータトランスクリプトとして、ステップ２０２において指定される特定の反響消去特性のための一組の個別パラメーターを定義及び蓄積（例えば、関係データベースに）する。ステップ２０６において、オペレーターは、システムのトラフィック制御サブシステム（例えば、ＴＣＳ１０８）のためのデータトランスクリプトとして、関係する特定のＴ−ＲＯＵＴＥがそのルートのために定義され蓄積される個別パラメーターの組を用いることができるということを指定する情報を定義及び蓄積する。
ステップ２０８において、オペレーターは、関係する特定のＴ−ＲＯＵＴＥを介してトラフィックを取り扱うために、プール（１１０）において充分な反響消去装置が利用できるか否か判定する。ステップ２１０において、プールにおいて充分な反響消去装置が利用できるかどうかによって、オペレーターは、トランク信号サブシステムのためのデータトランスクリプトとして、すでに作り出されている専用プールを減少するか増大するかの情報を入力する。ステップ２１２において、オペレーターは、トラフィック制御サブシステムのためのデータトランスクリプトとして、関係する特定のＴ−ＲＯＵＴＥが、専用プールから反響消去装置を用いることを可能とする情報を入力する。
ステップ２１４において、加入者ＡからＰＳＴＮ加入者Ｂへの通話の開始時に、トラフィック制御サブシステムが標準呼設定手順及びルート分析を行う。ステップ２１６において、その実行されたルート分析の結果に基づいて、トラフィック制御サブシステムは、関係するＴ−ＲＯＵＴＥでの反響を消去するために反響消去装置プールが必要であるか否かを決定する。もし必要でないなら（例えば、トランク反響消去装置がすでに用いられている）、ステップ２１８において、プールからの反響消去装置を用いることなく、加入者ＡとＢとの間に接続を行うことができ、そして現在の方法を終結することができる（２２０）。しかしながら、ステップ２１６において、もしトラフィック制御サブシステムが、プールからの反響消去装置が、関係するＴ−ＲＯＵＴＥのために必要であると判定するならば、ステップ２２２において、トラフィック制御サブシステムとトランク信号サブシステムの双方が、関係する特定のＴ−ＲＯＵＴＥが専用のプールを用いることが可能であるか否か判定する（例えば、そのＴ−ＲＯＵＴＥにとっての優先順位レベルに基づいて）。もしそうであるならば、この例示におけるように、ステップ２２４において、トランク信号サブシステムは、専用プールから反響消去装置を選択する。さもなければ、もし関連するＴ−ＲＯＵＴＥが特定の使用優先順位が与えられないならば、トランク信号サブシステムは、メインプール（２２６）から反響消去装置を選択する。
ステップ２２８において、トランク信号サブシステムは、関係するＴ−ＲＯＵＴＥが個々のパラメーター設定のユーザーとして定義されているかどうか判定する。もしそうであるなら（この例示におけるように）、ステップ２３０において、トランク信号サブシステムは、前もって定義された個別パラメーター（例えば、１２８ｍｓの反響路遅延）を専用もしくはメインのプール（ステップ２２４または２２６）から選択された反響消去装置にダウンロードし、それは、例えば、テキサスインスツルメント社によって製造されたデジタル信号プロセッサ（ＤＳＰ）のようなデジタルプロセッサの制御のもとで使用することができる。さもなければ、ステップ２３２において、トランク信号サブシステムは、デフォルトパラメーターをプールから選択された反響消去装置にダウンロードする。
ステップ２３４において、トランク信号サブシステムは、専用またはメインのプールから選択された反響消去装置の動作を、関係する特定のＴ−ＲＯＵＴＥでの個別化された反響消去パラメーターに従って可能とする。ステップ２３６において、呼の存続期間中、トランク信号サブシステムは、関係する特定のＴ−ＲＯＵＴＥを介して、加入者ＡとＰＳＴＮ加入者Ｂとの間の双方向トラフィックを取り次ぐ。呼が終結されるとき、ステップ２３８において、トラフィック制御サブシステムは呼を切断する。ステップ２４０において、トラフィック制御サブシステムとトランク信号サブシステムは、関係するＴ−ＲＯＵＴＥから反響消去装置を切断し、また、ステップ２４２では、トランク信号サブシステムは、その装置をそれぞれの専用もしくはメインのプールへ返却する。専用またはメインのプールから反響消去装置を動的に選択し、また、関係する特定のトランクルートに適応された最適の反響消去パラメーター設定で、それを操作する方法が、続いて終結される（２４４）。
本発明の方法及び装置の好ましい実施例が、付随する図面に例示され、また、前述の詳細な説明に記述されているけれども、本発明は、開示された実施例に限定されるものではなく、以下の請求の範囲によって説明され、また定義されるような、本発明の精神から逸脱することなく、数々の再配備、変更及び置き換えが可能であるということが理解される。
【図１】
0004350803.tif 000002
【図２】
0004350803.tif 000003
【図３】
0004350803.tif 000004
【図４】
0004350803.tif 000005
【図５】
0004350803.tif 000006
【図６】
0004350803.tif 000007
【図７】
0004350803.tif 000008
【図８】
0004350803.tif 000009